(57)【特許請求の範囲】
【請求項１】
１つ以上の第１ねじ端子と１つ以上の第１のねじとを有する第１のねじ式端子台と、
１つ以上の第２ねじ端子と１つ以上の第２のねじとを有する第２のねじ式端子台と、
前記１つ以上の第１のねじを用いて前記１つ以上の第１ねじ端子に電気的及び機械的に接続される第１サブ配線基板と、
前記１つ以上の第２のねじを用いて前記１つ以上の第２ねじ端子に電気的及び機械的に接続される第２サブ配線基板と、
前記第１サブ配線基板と前記第２サブ配線基板とを機械的に支持しかつ電気的に接続する主配線基板と、
第１支持板及び第２支持板の少なくとも１つとを備え、
前記１つ以上の第１ねじ端子の第１端子面は、前記１つ以上の第２ねじ端子の第２端子面とは異なる平面上に配置され、
前記主配線基板は、第１主面と、前記第１主面に対向する第２主面とを有し、
前記第１サブ配線基板及び前記第２サブ配線基板は、前記第１主面及び前記第２主面に交差する方向に延在しており、
前記第１支持板は、前記第１サブ配線基板を支持し、
前記第２支持板は、前記第２サブ配線基板を支持し、
前記主配線基板と前記第１支持板及び前記第２支持板の前記少なくとも１つとは自立して前記第１のねじ式端子台及び前記第２のねじ式端子台を支持する、電気配線装置。
【請求項２】
前記第１端子面の第１法線は、前記第２端子面の第２法線に対してねじれの位置の関係にある、請求項１に記載の電気配線装置。
【請求項３】
前記第１端子面は、前記第２端子面に平行である、請求項１に記載の電気配線装置。
【請求項４】
前記第１のねじ式端子台は、前記第１主面側に配置され、
前記第２のねじ式端子台は、前記第２主面側に配置される、請求項１から請求項３のいずれか１項に記載の電気配線装置。
【請求項５】
前記第１のねじ式端子台及び前記第２のねじ式端子台は、前記第１主面側に配置される、請求項１から請求項３のいずれか１項に記載の電気配線装置。
【請求項６】
前記主配線基板は、第１コネクタと第２コネクタとを有し、
前記第１サブ配線基板は、前記第１コネクタに挿入されており、
前記第２サブ配線基板は、前記第２コネクタに挿入されている、請求項１から請求項５のいずれか１項に記載の電気配線装置。
【請求項７】
前記主配線基板は、第１補強部材及び第２補強部材の少なくとも１つを含み、
前記第１補強部材は、前記第１サブ配線基板と前記主配線基板との機械的な接続を補強し、
前記第２補強部材は、前記第２サブ配線基板と前記主配線基板との機械的な接続を補強する、請求項１から請求項６のいずれか１項に記載の電気配線装置。
【請求項８】
前記第１サブ配線基板、前記第２サブ配線基板及び前記主配線基板の少なくとも１つに実装される電子デバイスをさらに備える、請求項１から請求項７のいずれか１項に記載の電気配線装置。
【請求項９】
前記第２のねじ式端子台は、前記第１のねじ式端子台と異なるサイズを有する、請求項１から請求項８のいずれか１項に記載の電気配線装置。
【請求項１０】
前記１つ以上の第１ねじ端子は、複数の第１ねじ端子であり、
前記１つ以上の第２ねじ端子は、複数の第２ねじ端子であり、
互いに隣り合う前記複数の第１ねじ端子の間の第１の距離は、互いに隣り合う前記複数の第２ねじ端子の間の第２の距離と異なっている、請求項１から請求項９のいずれか１項に記載の電気配線装置。
【請求項１１】
前記第１のねじ式端子台は、第１の電気部品に含まれ、
前記第２のねじ式端子台は、第２の電気部品に含まれている、請求項１から請求項１０のいずれか１項に記載の電気配線装置。
【請求項１２】
前記第１のねじ式端子台及び前記第２のねじ式端子台は第１の電気部品に含まれている、請求項１から請求項１０のいずれか１項に記載の電気配線装置。
【請求項１３】
前記第１の電気部品は、コンタクタ、リレー及びパワーモジュールのいずれかである、請求項１１または請求項１２に記載の電気配線装置。
【発明の詳細な説明】
【技術分野】
【０００１】
本発明は、電気配線装置に関する。
【背景技術】
【０００２】
リード線及び圧着端子を用いることなく、プリント基板がねじ式端子台に電気的及び機械的に接続された電気配線装置が知られている（特許文献１を参照）。特許文献１に開示されたプリント基板は、導体が被覆された複数の突片を含む。複数の突片は、ねじを用いて、ねじ式端子台に固定される。こうして、プリント基板は、ねじ式端子台に電気的及び機械的に接続される。
【先行技術文献】
【特許文献】
【０００３】
【特許文献１】特開平８−１６２７３５号公報
【発明の概要】
【発明が解決しようとする課題】
【０００４】
しかし、特許文献１に開示された電気配線装置では、異なる平面に配置される複数のねじ式端子台の間を電気的及び機械的に接続することができない。本発明は、上記の課題を鑑みてなされたものであり、その目的は、リード線及び圧着端子を用いることなく、異なる平面に配置される複数のねじ式端子台が電気的及び機械的に接続され得る電気配線装置を提供することである。
【課題を解決するための手段】
【０００５】
本発明の電気配線装置は、第１のねじ式端子台と、第２のねじ式端子台と、第１サブ配線基板と、第２サブ配線基板と、主配線基板とを備える。第１のねじ式端子台は、１つ以上の第１ねじ端子と１つ以上の第１のねじとを有する。第２のねじ式端子台は、１つ以上の第２ねじ端子と１つ以上の第２のねじとを有する。第１サブ配線基板は、第１のねじを用いて１つ以上の第１ねじ端子に電気的及び機械的に接続される。第２サブ配線基板は、第２のねじを用いて１つ以上の第２ねじ端子に電気的及び機械的に接続される。主配線基板は、第１サブ配線基板と第２サブ配線基板とを機械的に支持しかつ電気的に接続する。１つ以上の第１ねじ端子の第１端子面は、１つ以上の第２ねじ端子の第２端子面とは異なる平面上に配置される。主配線基板は、第１主面と、第１主面に対向する第２主面とを有する。第１サブ配線基板及び第２サブ配線基板は、第１主面及び第２主面に交差する方向に延在している。
【発明の効果】
【０００６】
本発明の電気配線装置では、第１のねじ式端子台は、第１サブ配線基板と、第２サブ配線基板と、主配線基板とを介して、第２のねじ式端子台に電気的及び機械的に接続される。第１サブ配線基板及び第２サブ配線基板は、主配線基板の第１主面及び第２主面に交差する方向に延在している。第１のねじ式端子台の第１端子面は、第２のねじ式端子台の第２端子面とは異なる平面上に配置される。本発明の電気配線装置によれば、リード線及び圧着端子を用いることなく、異なる平面に配置される複数のねじ式端子台が電気的及び機械的に接続され得る。
【図面の簡単な説明】
【０００７】
【図１】本発明の実施の形態１に係る電気配線装置の分解斜視図である。
【図２】本発明の実施の形態１に係る電気配線装置の平面図である。
【図３】本発明の実施の形態２に係る電気配線装置の斜視図である。
【図４】本発明の実施の形態３に係る電気配線装置の分解斜視図である。
【図５】本発明の実施の形態４に係る電気配線装置の分解斜視図である。
【図６】本発明の実施の形態５に係る電気配線装置の斜視図である。
【図７】本発明の実施の形態６に係る電気配線装置の上面図である。
【図８】本発明の実施の形態６に係る電気配線装置の側面図である。
【発明を実施するための形態】
【０００８】
以下、本発明の実施の形態を説明する。なお、同一の構成には同一の参照番号を付し、その説明は繰り返さない。
【０００９】
実施の形態１．
図１及び図２を参照して、実施の形態１に係る電気配線装置１を説明する。本実施の形態の電気配線装置１は、第１のねじ式端子台１０と、第２のねじ式端子台２０と、第１サブ配線基板１５と、第２サブ配線基板２５と、主配線基板３とを備える。
【００１０】
第１のねじ式端子台１０は、１つ以上の第１ねじ端子１１と１つ以上の第１のねじ１２とを有する。本実施の形態では、第１のねじ式端子台１０は、３つの第１ねじ端子１１と３つの第１のねじ１２とを有する。第１ねじ端子１１は、例えば、銅（Ｃｕ）のような導電性材料からなってもよい。第１ねじ端子１１は、第１サブ配線基板１５に面する第１端子面１４を有する。第１法線１３は、第１端子面１４の法線である。第１のねじ１２は、導電性材料からなってもよい。第１ねじ端子１１は、第１のねじ１２を受け入れる孔（図示せず）が設けられている。第１ねじ端子１１は、第１樹脂ブロックの凹部に配置されてもよい。複数の第１ねじ端子１１は、第１樹脂ブロックの突出部によって、互いに電気的に絶縁されてもよい。第１のねじ式端子台１０は、ねじ１９をさらに有してもよい。ねじ１９は、図示しない配線またはプリント基板を、第１ねじ端子１１に電気的及び機械的に接続する。
【００１１】
第２のねじ式端子台２０は、１つ以上の第２ねじ端子２１と１つ以上の第２のねじ２２とを有する。本実施の形態では、第２のねじ式端子台２０は、３つの第２ねじ端子２１と３つの第２のねじ２２とを有する。第２ねじ端子２１は、例えば、銅（Ｃｕ）のような導電性材料からなってもよい。第２ねじ端子２１は、第２サブ配線基板２５に面する第２端子面２４を有する。第２法線２３は、第２端子面２４の法線である。第２ねじ端子２１の第２端子面２４は、第１ねじ端子１１の第１端子面１４とは異なる平面上に配置される。第２ねじ端子２１の第２端子面２４は、第１ねじ端子１１の第１端子面１４とは共平面ではない。第２ねじ端子２１の第２端子面２４は、第１ねじ端子１１の第１端子面１４上及びその延長平面上に配置されない。第２端子面２４は、第１端子面１４に平行であってもよい。第２法線２３は、第１法線１３に平行であってもよい。
【００１２】
第２のねじ２２は、導電性材料からなってもよい。第２ねじ端子２１は、第２のねじ２２を受け入れる孔（図示せず）が設けられている。第２ねじ端子２１は、第２樹脂ブロックの凹部に配置されてもよい。複数の第２ねじ端子２１は、第２樹脂ブロックの突出部によって、互いに電気的に絶縁されてもよい。第２のねじ式端子台２０は、ねじ２９をさらに有してもよい。ねじ２９は、図示しない配線またはプリント基板を、第２ねじ端子２１に電気的及び機械的に接続する。
【００１３】
第１サブ配線基板１５は、第１サブ配線基板１５の表面及び内部の両方またはいずれか一方に、薄膜導体からなる第１サブ配線（図示せず）を含む。第１サブ配線基板１５は、プリント基板であってもよい。第１サブ配線基板１５は、主配線基板３の第１主面３ａ及び第２主面３ｂに交差する方向（ｘ方向）に延在する。特定的には、第１サブ配線基板１５は、主配線基板３の第１主面３ａ及び第２主面３ｂに直交する方向（ｘ方向）に延在してもよい。第１サブ配線基板１５は、複数の第１脚部１６を含んでもよい。第１脚部１６は、主配線基板３の第１主面３ａに交差する方向（ｘ方向）に延在してもよい。特定的には、第１脚部１６は、主配線基板３の第１主面３ａに直交する方向（ｘ方向）に延在してもよい。複数の第１脚部１６は、互いに、スリットによって分離されてもよい。第１サブ配線基板１５は、第１のねじ１２を受け入れる第１の孔１７が設けられている。第１の孔１７は、複数の第１脚部１６にそれぞれ設けられてもよい。
【００１４】
第１サブ配線基板１５は、第１のねじ１２を用いて、第１ねじ端子１１に電気的及び機械的に接続される。第１サブ配線基板１５の第１脚部１６は、第１のねじ１２を用いて、第１ねじ端子１１に固定される。第１サブ配線基板１５の第１脚部１６は、第１樹脂ブロックの凹部内に配置してもよい。第１サブ配線基板１５は、第１ねじ端子１１の第１端子面１４に接触する。特定的には、第１サブ配線基板１５の第１脚部１６は、第１ねじ端子１１の第１端子面１４に面接触する。第１サブ配線基板１５の第１サブ配線の一部は、第１ねじ端子１１に面する第１サブ配線基板１５の表面上または第１の孔１７上に設けられている。第１サブ配線基板１５の第１サブ配線は、第１ねじ端子１１に電気的に接続される。
【００１５】
第２サブ配線基板２５は、第２サブ配線基板２５の表面及び内部の両方またはいずれか一方に、薄膜導体からなる第２サブ配線（図示せず）を含む。第２サブ配線基板２５は、プリント基板であってもよい。第２サブ配線基板２５は、主配線基板３の第１主面３ａ及び第２主面３ｂに交差する方向（ｘ方向）に延在する。特定的には、第２サブ配線基板２５は、主配線基板３の第１主面３ａ及び第２主面３ｂに直交する方向（ｘ方向）に延在してもよい。第２サブ配線基板２５は、複数の第２脚部２６を含んでもよい。第２脚部２６は、主配線基板３の第２主面３ｂに交差する方向（ｘ方向）に延在してもよい。特定的には、第２脚部２６は、主配線基板３の第２主面３ｂに直交する方向（ｘ方向）に延在してもよい。複数の第２脚部２６は、互いに、スリットによって分離されてもよい。第２サブ配線基板２５は、第２のねじ２２を受け入れる第２の孔２７が設けられている。第２の孔２７は、複数の第２脚部２６にそれぞれ設けられてもよい。
【００１６】
第２サブ配線基板２５は、第２のねじ２２を用いて、第２ねじ端子２１に電気的及び機械的に接続される。第２サブ配線基板２５の第２脚部２６は、第２のねじ２２を用いて、第２ねじ端子２１に固定される。第２サブ配線基板２５の第２脚部２６は、第２樹脂ブロックの凹部内に配置してもよい。第２サブ配線基板２５は、第２ねじ端子２１の第２端子面２４に接触する。特定的には、第２サブ配線基板２５の第２脚部２６は、第２ねじ端子２１の第２端子面２４に面接触する。第２サブ配線基板２５の第２サブ配線の一部は、第２ねじ端子２１に面する第２サブ配線基板２５の表面上または第２の孔２７上に設けられている。第２サブ配線基板２５の第２サブ配線は、第２ねじ端子２１に電気的に接続される。
【００１７】
主配線基板３は、第１主面３ａと、第１主面３ａと反対側の第２主面３ｂとを有する。主配線基板３は、主配線基板３の表面及び内部の両方またはいずれか一方に、薄膜導体からなる主配線を含む。主配線基板３は、プリント基板であってもよい。主配線基板３は、第１サブ配線基板１５と第２サブ配線基板２５とを機械的に支持しかつ電気的に接続する。第１サブ配線基板１５と第２サブ配線基板２５とは、主配線基板３に対して互いに異なる位置で機械的に支持されてもよい。主配線基板３の主配線は、第１サブ配線基板１５の第１サブ配線と第２サブ配線基板２５の第２サブ配線とを電気的に接続する。
【００１８】
第１サブ配線基板１５と第２サブ配線基板２５とは、主配線基板３に、はんだを用いて接合されてもよい。主配線基板３はコネクタ（第１コネクタ３ｃ、第２コネクタ３ｄ）を含み、主配線基板３は、コネクタ（第１コネクタ３ｃ、第２コネクタ３ｄ）を用いて、第１サブ配線基板１５と第２サブ配線基板２５とを機械的に支持してもよい。第１サブ配線基板１５と第２サブ配線基板２５とは、主配線基板３に含まれるコネクタ（第１コネクタ３ｃ、第２コネクタ３ｄ）に挿入されてもよい。
【００１９】
特定的には、主配線基板３は、第１コネクタ３ｃと第２コネクタ３ｄとを含んでもよい。第１コネクタ３ｃは、第１サブ配線基板１５を主配線基板３に機械的に接続する。第１サブ配線基板１５は、第１コネクタ３ｃに挿入されてもよい。第２コネクタ３ｄは、第２サブ配線基板２５を主配線基板３に機械的に接続する。第２サブ配線基板２５は、第２コネクタ３ｄに挿入されてもよい。第１コネクタ３ｃ及び第２コネクタ３ｄは、第１主面３ａと第２主面３ｂとの間を貫通する孔であってもよい。第１サブ配線基板１５の主配線基板３側の端部が、第１コネクタ３ｃに嵌合されてもよい。第１サブ配線基板１５の主配線基板３側の端部は、第１脚部１６側とは反対側の端部であってもよい。第２サブ配線基板２５の主配線基板３側の端部が、第２コネクタ３ｄに嵌合されてもよい。第２サブ配線基板２５の主配線基板３側の端部は、第２脚部２６側とは反対側の端部であってもよい。
【００２０】
第１のねじ式端子台１０は、第１主面３ａ側に配置されてもよい。第２のねじ式端子台２０は、第２主面３ｂ側に配置されてもよい。第１サブ配線基板１５は、主配線基板３に機械的に支持される。第１のねじ式端子台１０は、第１サブ配線基板１５を介して、主配線基板３に機械的に支持される。第１のねじ式端子台１０は、第１サブ配線基板１５を介して、主配線基板３にぶら下がっている。第２サブ配線基板２５は、主配線基板３に機械的に支持される。第２のねじ式端子台２０は、第２サブ配線基板２５を介して、主配線基板３に機械的に支持される。第２のねじ式端子台２０は、第２サブ配線基板２５を介して、主配線基板３にぶら下がっている。
【００２１】
本実施の形態の電気配線装置１の効果を説明する。
本実施の形態の電気配線装置１は、第１のねじ式端子台１０と、第２のねじ式端子台２０と、第１サブ配線基板１５と、第２サブ配線基板２５と、主配線基板３とを備える。第１のねじ式端子台１０は、１つ以上の第１ねじ端子１１と１つ以上の第１のねじ１２とを有する。第２のねじ式端子台２０は、１つ以上の第２ねじ端子２１と１つ以上の第２のねじ２２とを有する。第１サブ配線基板１５は、第１のねじ１２を用いて１つ以上の第１ねじ端子１１に電気的及び機械的に接続される。第２サブ配線基板２５は、第２のねじ２２を用いて１つ以上の第２ねじ端子２１に電気的及び機械的に接続される。主配線基板３は、第１サブ配線基板１５と第２サブ配線基板２５とを機械的に支持しかつ電気的に接続する。１つ以上の第１ねじ端子１１の第１端子面１４は、１つ以上の第２ねじ端子２１の第２端子面２４とは異なる平面上に配置される。主配線基板３は、第１主面３ａと、第１主面３ａに対向する第２主面３ｂとを有する。第１サブ配線基板１５及び第２サブ配線基板２５は、第１主面３ａ及び第２主面３ｂに交差する方向に延在している。
【００２２】
本実施の形態の電気配線装置１では、第１のねじ式端子台１０は、第１サブ配線基板１５と、第２サブ配線基板２５と、主配線基板３とを介して、第２のねじ式端子台２０に電気的及び機械的に接続される。第１サブ配線基板１５及び第２サブ配線基板２５は、主配線基板３の第１主面３ａ及び第２主面３ｂに交差する方向に延在している。第１のねじ式端子台１０の第１端子面１４は、第２のねじ式端子台２０の第２端子面２４とは異なる平面上に配置される。本実施の形態の電気配線装置１によれば、リード線及び圧着端子を用いることなく、異なる平面に配置される複数のねじ式端子台が電気的及び機械的に接続され得る。
【００２３】
本実施の形態の電気配線装置１では、第１のねじ式端子台１０は、第１サブ配線基板１５と、第２サブ配線基板２５と、主配線基板３とを介して、第２のねじ式端子台２０に電気的及び機械的に接続される。主配線基板３と、第１サブ配線基板１５と、第２サブ配線基板２５とは、各々、リード線よりも高い剛性を有する。主配線基板３は、第１サブ配線基板１５を介して、第１のねじ式端子台１０を機械的に支持することができる。主配線基板３は、第２サブ配線基板２５を介して、第２のねじ式端子台２０を機械的に支持することができる。１つの支持部材が主配線基板３を支持するだけで、第１のねじ式端子台１０及び第２のねじ式端子台２０は支持され得る。これに対し、リード線及び圧着端子を用いて第１のねじ式端子台１０が第２のねじ式端子台２０に電気的に接続される比較例では、第１のねじ式端子台１０及び第２のねじ式端子台２０がそれぞれ第１の支持部材と第２の支持部材とによって支持される。本実施の形態の電気配線装置１は、この比較例に比べて、第１のねじ式端子台１０及び第２のねじ式端子台２０を支持する部品の数及びサイズを減らすことができる。
【００２４】
本実施の形態の電気配線装置１では、第１のねじ式端子台１０は、薄膜導体からなる第１サブ配線を含む第１サブ配線基板１５と、薄膜導体からなる第２サブ配線を含む第２サブ配線基板２５と、薄膜導体からなる主配線を含む主配線基板３とを介して、第２のねじ式端子台２０に電気的及び機械的に接続される。リード線及び圧着端子を用いて第１のねじ式端子台１０が第２のねじ式端子台２０に電気的に接続される比較例と比べて、本実施の形態の電気配線装置１は、配線の長さを減少させることができる。本実施の形態の電気配線装置１は、配線（第１サブ配線、第２サブ配線、主配線）のインダクタンスを減少させることができ、そのため、配線（第１サブ配線、第２サブ配線、主配線）において発生し得る電気ノイズを減少させることができる。
【００２５】
本実施の形態の電気配線装置１では、第１のねじ式端子台１０は、薄膜導体からなる第１サブ配線を含む第１サブ配線基板１５と、薄膜導体からなる第２サブ配線を含む第２サブ配線基板２５と、薄膜導体からなる主配線を含む主配線基板３とを介して、第２のねじ式端子台２０に電気的及び機械的に接続される。薄膜導体は、リード線に比べて、導体の体積に対する導体の表面積の割合が大きい。リード線及び圧着端子を用いて第１のねじ式端子台１０が第２のねじ式端子台２０に電気的に接続される比較例と比べて、本実施の形態の電気配線装置１は、配線（第１サブ配線、第２サブ配線、主配線）において発生する熱を、電気配線装置１の外部により効率的に放散させることができる。さらに、本実施の形態の電気配線装置１は、比較例よりも高い放熱性を有するため、配線（第１サブ配線、第２サブ配線、主配線）の体積を減少させることができる。本実施の形態の電気配線装置１は、比較例よりも、軽量化され得る。
【００２６】
本実施の形態の電気配線装置１では、第１のねじ式端子台１０は、第１サブ配線基板１５と、第２サブ配線基板２５と、主配線基板３とを介して、第２のねじ式端子台２０に電気的及び機械的に接続される。主配線基板３と、第１サブ配線基板１５と、第２サブ配線基板２５とは、各々、リード線よりも高い剛性を有する。リード線及び圧着端子を用いて第１のねじ式端子台１０が第２のねじ式端子台２０に電気的に接続される比較例と比べて、本実施の形態の電気配線装置１は、機械的振動に対する向上された耐性を有する。
【００２７】
本実施の形態の電気配線装置１では、第１のねじ式端子台１０は、第１サブ配線基板１５と、第２サブ配線基板２５と、主配線基板３とを介して、第２のねじ式端子台２０に電気的及び機械的に接続される。本実施の形態の電気配線装置１では、比較例のようにリード線をプリント基板にはんだづけする工程が不要である。本実施の形態の電気配線装置１では、第１サブ配線基板１５と、第２サブ配線基板２５と、主配線基板３とに予め配線（第１サブ配線、第２サブ配線、主配線）が形成されているため、比較例のようにリード線がプリント基板及び端子台に誤って接続されることが防がれ得る。本実施の形態の電気配線装置１は、比較例よりも製品歩留まりを向上させることを可能にする構造を有する。
【００２８】
本実施の形態の電気配線装置１では、第１のねじ式端子台１０は、第１主面３ａ側に配置される。第２のねじ式端子台２０は、第２主面３ｂ側に配置される。第１のねじ式端子台１０及び第２のねじ式端子台２０は、主配線基板３に対して互いに異なる側に配置される。本実施の形態の電気配線装置１は、第１のねじ式端子台１０及び第２のねじ式端子台２０の配置の自由度を向上させることができる。
【００２９】
本実施の形態の電気配線装置１では、主配線基板３は、第１コネクタ３ｃと第２コネクタ３ｄとを有する。第１サブ配線基板１５は、第１コネクタ３ｃに挿入されている。第２サブ配線基板２５は、第２コネクタ３ｄに挿入されている。本実施の形態の電気配線装置１によれば、第１サブ配線基板１５と第２サブ配線基板２５とは、主配線基板３に、容易かつ安定的に接続され得る。
【００３０】
実施の形態２．
図３を参照して、実施の形態２に係る電気配線装置１ａを説明する。本実施の形態の電気配線装置１ａは、実施の形態１の電気配線装置１と同様の構成を備えるが、主に以下の点で異なる。
【００３１】
第２のねじ式端子台２０の第２端子面２４の第２法線２３は、第１のねじ式端子台１０の第１端子面１４の第１法線１３に対してねじれの位置の関係にある。
【００３２】
本実施の形態の電気配線装置１ａは、第３のねじ式端子台３０と第３サブ配線基板３５とをさらに備える。本実施の形態の電気配線装置１ａでは、主配線基板３は、第３コネクタ３ｅをさらに含む。
【００３３】
第３のねじ式端子台３０は、１つ以上の第３ねじ端子３１と１つ以上の第３のねじ３２とを有する。本実施の形態では、第３のねじ式端子台３０は、３つの第３ねじ端子３１と３つの第３のねじ３２とを有する。第３ねじ端子３１は、例えば、銅（Ｃｕ）のような導電性材料からなってもよい。第３ねじ端子３１は、第３サブ配線基板３５に面する第３端子面３４を有する。第３法線３３は、第３端子面３４の法線である。
【００３４】
第３ねじ端子３１の第３端子面３４は、第１ねじ端子１１の第１端子面１４及び第２ねじ端子２１の第２端子面２４とは異なる平面上に配置される。第３ねじ端子３１の第３端子面３４は、第１ねじ端子１１の第１端子面１４及び第２ねじ端子２１の第２端子面２４とは共平面ではない。第３ねじ端子３１の第３端子面３４は、第１ねじ端子１１の第１端子面１４上及びその延長平面上に配置されない。第３ねじ端子３１の第３端子面３４は、第２ねじ端子２１の第２端子面２４上及びその延長平面上に配置されない。第３端子面３４の第３法線３３は、第１端子面１４の第１法線１３に対してねじれの位置の関係にある。第３端子面３４は、第２端子面２４に平行であってもよい。第３法線３３は、第２法線２３に平行であってもよい。
【００３５】
第３のねじ３２は、導電性材料からなってもよい。第３ねじ端子３１は、第３のねじ３２を受け入れる孔（図示せず）が設けられている。第３ねじ端子３１は、第３樹脂ブロックの凹部に配置されてもよい。複数の第３ねじ端子３１は、第３樹脂ブロックの突出部によって、互いに電気的に絶縁されてもよい。第３のねじ式端子台３０は、ねじ３９をさらに有してもよい。ねじ３９は、図示しない配線またはプリント基板を、第３ねじ端子３１に電気的及び機械的に接続する。
【００３６】
第３サブ配線基板３５は、第３サブ配線基板３５の表面及び内部の両方またはいずれか一方に、薄膜導体からなる第３サブ配線（図示せず）を含む。第３サブ配線基板３５は、プリント基板であってもよい。第３サブ配線基板３５は、主配線基板３の第１主面３ａ及び第２主面３ｂに交差する方向（ｘ方向）に延在する。特定的には、第３サブ配線基板３５は、主配線基板３の第１主面３ａ及び第２主面３ｂに直交する方向（ｘ方向）に延在してもよい。第３サブ配線基板３５は、複数の第３脚部３６を含んでもよい。第３脚部３６は、主配線基板３の第１主面３ａに沿う方向（ｚ方向）に延在してもよい。複数の第３脚部３６は、互いに、スリットによって分離されてもよい。第３サブ配線基板３５は、第３のねじ３２を受け入れる第３の孔（図示せず）が設けられている。第３の孔は、複数の第３脚部３６にそれぞれ設けられてもよい。
【００３７】
第３サブ配線基板３５は、第３のねじ３２を用いて、１つ以上の第３ねじ端子３１に電気的及び機械的に接続される。第３サブ配線基板３５の第３脚部３６は、第３のねじ３２を用いて、第３ねじ端子３１に固定される。第３サブ配線基板３５の第３脚部３６は、第３樹脂ブロックの凹部内に配置してもよい。第３サブ配線基板３５は、第３ねじ端子３１の第３端子面３４に接触する。特定的には、第３サブ配線基板３５の第３脚部３６は、第３ねじ端子３１の第３端子面３４に面接触する。第３サブ配線基板３５の第３サブ配線の一部は、第３ねじ端子３１に面する第３サブ配線基板３５の表面上または第３の孔上に設けられている。第３サブ配線基板３５の第３サブ配線は、第３ねじ端子３１に電気的に接続される。
【００３８】
主配線基板３は、第１サブ配線基板１５と第２サブ配線基板２５と第３サブ配線基板３５とを機械的に支持しかつ電気的に接続する。第１サブ配線基板１５と第２サブ配線基板２５と第３サブ配線基板３５とは、主配線基板３に対して互いに異なる位置で機械的に支持されてもよい。第３コネクタ３ｅは、第３サブ配線基板３５を主配線基板３に機械的に接続する。第３サブ配線基板３５は、第３コネクタ３ｅに挿入されてもよい。第３コネクタ３ｅは、第１主面３ａと第２主面３ｂとの間を貫通する孔であってもよい。第３サブ配線基板３５は、第３コネクタ３ｅに嵌合されてもよい。特定的には、主配線基板３側の第３サブ配線基板３５の端部が、第３コネクタ３ｅに嵌合されてもよい。
【００３９】
本実施の形態の電気配線装置１ａではねじ式端子台の数は３つであるが、ねじ式端子台の数は４つ以上であってもよい。ねじ式端子台の数が増えるにつれて、サブ配線基板の数が増加されればよい。
【００４０】
本実施の形態の電気配線装置１ａの効果は、実施の形態１の電気配線装置１の効果に加えて、以下の効果を奏する。
【００４１】
第１のねじ式端子台１０の第１端子面１４の第１法線１３が第２のねじ式端子台２０の第２端子面２４の第２法線２３に対してねじれの位置の関係にあっても、第１のねじ式端子台１０は、第１サブ配線基板１５と、第２サブ配線基板２５と、主配線基板３とを介して、第２のねじ式端子台２０に電気的及び機械的に接続され得る。本実施の形態の電気配線装置１ａは、第１のねじ式端子台１０及び第２のねじ式端子台２０の配置の自由度を向上させることができる。
【００４２】
本実施の形態の電気配線装置１ａでは、複数のねじ式端子台（第１のねじ式端子台１０、第２のねじ式端子台２０、第３のねじ式端子台３０）は、互いに、複数のサブ配線基板（第１サブ配線基板１５、第２サブ配線基板２５、第３サブ配線基板３５）と主配線基板３とを介して、電気的及び機械的に接続される。本実施の形態の電気配線装置１ａは、互いに電気的及び機械的に接続されるねじ式端子台の数を３つ以上に容易に増加させることができる。
【００４３】
実施の形態３．
図４を参照して、実施の形態３に係る電気配線装置１ｂを説明する。本実施の形態の電気配線装置１ｂは、実施の形態１の電気配線装置１と同様の構成を備えるが、主に以下の点で異なる。
【００４４】
本実施の形態の電気配線装置１ｂは、第１サブ配線基板１５、第２サブ配線基板２５及び主配線基板３の少なくとも１つに実装される電子デバイス（８ａ，８ｂ，８ｃ，８ｄ）をさらに備える。特定的には、電子デバイス（８ａ，８ｂ，８ｃ，８ｄ）は、第１サブ配線基板１５、第２サブ配線基板２５及び主配線基板３のそれぞれに実装されてもよい。電子デバイス（８ａ，８ｂ，８ｃ，８ｄ）は、特に限定されないが、例えば、コンデンサ８ａ、トランス８ｂ、チップ抵抗８ｃ、集積回路８ｄ、リアクトル、トランジスタ、ノイズ低減回路またはセンサ回路であってもよい。具体的には、コンデンサ８ａが第１サブ配線基板１５上に実装されてもよい。コンデンサ８ａは、第１サブ配線基板１５の第１サブ配線に電気的に接続される。トランス８ｂが主配線基板３上に実装されてもよい。トランス８ｂは、主配線基板３の主配線に電気的に接続される。チップ抵抗８ｃ及び集積回路８ｄが第２サブ配線基板２５上に実装されてもよい。チップ抵抗８ｃ及び集積回路８ｄは、第２サブ配線基板２５の第２サブ配線に電気的に接続される。
【００４５】
本実施の形態の電気配線装置１ｂの効果は、実施の形態１の電気配線装置１の効果に加えて、以下の効果を奏する。本実施の形態の電気配線装置１ｂは、第１サブ配線基板１５、第２サブ配線基板２５及び主配線基板３の少なくとも１つに実装される電子デバイス（８ａ，８ｂ，８ｃ，８ｄ）をさらに備える。主配線基板３、第１サブ配線基板１５及び第２サブ配線基板２５は、各々、リード線よりも高い剛性を有する。電子デバイス（８ａ，８ｂ，８ｃ，８ｄ）は、第１サブ配線基板１５、第２サブ配線基板２５及び主配線基板３の少なくとも１つに上に容易に実装され得る。本実施の形態の電気配線装置１ｂは、様々な電気回路機能を有し得る。
【００４６】
実施の形態４．
図５を参照して、実施の形態４に係る電気配線装置１ｃを説明する。本実施の形態の電気配線装置１ｃは、実施の形態１の電気配線装置１と同様の構成を備えるが、主に以下の点で異なる。
【００４７】
本実施の形態の電気配線装置１ｃでは、主配線基板３は、第１補強部材９ａ及び第２補強部材９ｂの少なくとも１つを含む。特定的には、主配線基板３は、第１補強部材９ａ及び第２補強部材９ｂの両者を含んでもよい。
【００４８】
第１補強部材９ａは、第１サブ配線基板１５と主配線基板３との機械的な接続を補強する。第１補強部材９ａは、はんだまたはねじのような固定手段を用いて、主配線基板３及び第１サブ配線基板１５に固定されてもよい。第１補強部材９ａは、主配線基板３の第１主面３ａと第１サブ配線基板１５とに接触してもよい。第１補強部材９ａは、主配線基板３の第１主面３ａと第１サブ配線基板１５とに面接触してもよい。第１補強部材９ａは、例えば、銅（Ｃｕ）またはアルミニウム（Ａｌ）のような金属材料からなってもよい。第１補強部材９ａは、電子デバイスまたはジャンパー線であってもよい。
【００４９】
第２補強部材９ｂは、第２サブ配線基板２５と主配線基板３との機械的な接続を補強する。第２補強部材９ｂは、はんだまたはねじのような固定手段を用いて、主配線基板３及び第２サブ配線基板２５に固定されてもよい。第２補強部材９ｂは、主配線基板３の第２主面３ｂと第２サブ配線基板２５とに接触してもよい。第２補強部材９ｂは、主配線基板３の第２主面３ｂと第２サブ配線基板２５とに面接触してもよい。第２補強部材９ｂは、例えば、銅（Ｃｕ）またはアルミニウム（Ａｌ）のような金属材料からなってもよい。第２補強部材９ｂは、電子デバイスまたはジャンパー線であってもよい。
【００５０】
本実施の形態の電気配線装置１ｃの効果は、実施の形態１の電気配線装置１の効果に加えて、以下の効果を奏する。
【００５１】
本実施の形態の電気配線装置１ｃでは、主配線基板３は、第１補強部材９ａ及び第２補強部材９ｂの少なくとも１つを含む。第１補強部材９ａは、第１サブ配線基板１５と主配線基板３との機械的な接続を補強する。第２補強部材９ｂは、第２サブ配線基板２５と主配線基板３との機械的な接続を補強する。本実施の形態の電気配線装置１ｃは、機械的振動に対するさらに向上された耐性を有する。本実施の形態の電気配線装置１ｃでは、第１のねじ式端子台１０が第１の電気部品がコンタクタのような重い電気部品の一部であっても、主配線基板３及び第１補強部材９ａは、第１のねじ式端子台１０及び第１の電気部品を支持することができる。本実施の形態の電気配線装置１ｃでは、第２のねじ式端子台２０が第２の電気部品がコンタクタのような重い電気部品の一部であっても、主配線基板３及び第２補強部材９ｂは、第２のねじ式端子台２０及び第２の電気部品を支持することができる。
【００５２】
実施の形態５．
図６を参照して、実施の形態５に係る電気配線装置１ｄを説明する。本実施の形態の電気配線装置１ｄは、実施の形態１の電気配線装置１と同様の構成を備えるが、主に以下の点で異なる。
【００５３】
第１サブ配線基板１５の第１脚部１６は、主配線基板３の第１主面３ａ及び第１支持板４の第３主面４ａに沿う方向（ｙ方向）に延在している。第２のねじ式端子台２０の第２端子面２４の第２法線２３は、第１のねじ式端子台１０の第１端子面１４の第１法線１３に対してねじれの位置の関係にある。第２脚部２６は、主配線基板３の第２主面３ｂに沿う方向（ｚ方向）に延在している。
【００５４】
本実施の形態の電気配線装置１ｄは、第１支持板４及び第２支持板５の少なくとも１つをさらに備える。特定的には、本実施の形態の電気配線装置１ｄは、第１支持板４及び第２支持板５の両者を備える。第１支持板４は、第１サブ配線基板１５を支持する。第２支持板５は、第２サブ配線基板２５を支持する。第１サブ配線基板１５は、主配線基板３と第１支持板４とによって支持される。第２サブ配線基板２５は、主配線基板３と第２支持板５とによって支持される。
【００５５】
第１支持板４は、主配線基板３の第１主面３ａに面する第３主面４ａと、第３主面４ａと反対側の第４主面４ｂとを有する。第１支持板４は、主配線基板３に対して平行に配置されてもよい。第１支持板４は、第１支持板４の表面及び内部の両方またはいずれか一方に、薄膜導体からなる配線を含んでもよいし、含んでいなくてもよい。第１支持板４に含まれるこの配線は、第１サブ配線基板１５の第１サブ配線に電気的に接続されてもよい。第１サブ配線基板１５は、はんだを用いて、主配線基板３と第１支持板４とに接合されてもよい。第１支持板４は、第３コネクタ４ｃを含んでもよい。第３コネクタ４ｃは、第３主面４ａと第４主面４ｂとの間を貫通する孔であってもよい。
【００５６】
第１サブ配線基板１５は、コネクタ（第１コネクタ３ｃ、第３コネクタ４ｃ）を用いて、主配線基板３と第１支持板４とに支持されてもよい。第３コネクタ４ｃは、第１サブ配線基板１５を第１支持板４に機械的に接続する。第１サブ配線基板１５は、第１コネクタ３ｃ及び第３コネクタ４ｃに挿入されてもよい。第１サブ配線基板１５の一方の端部が第１コネクタ３ｃに嵌合され、第１サブ配線基板１５の反対側の端部が第３コネクタ４ｃに嵌合されてもよい。第１サブ配線基板１５の第１脚部１６は、第１サブ配線基板１５の一方の端部と反対側の端部との間に位置する。
【００５７】
第２支持板５は、主配線基板３の第２主面３ｂに面する第５主面５ａと、第５主面５ａと反対側の第６主面５ｂとを有する。第２支持板５は、主配線基板３に対して平行に配置されてもよい。第２支持板５は、第２支持板５の表面及び内部の両方またはいずれか一方に、薄膜導体からなる配線を含んでもよいし、含んでいなくてもよい。第２支持板５に含まれるこの配線は、第２サブ配線基板２５の第２サブ配線に電気的に接続されてもよい。第２サブ配線基板２５は、はんだを用いて、主配線基板３と第２支持板５とに接合されてもよい。第２支持板５は、第４コネクタ５ｃを含んでもよい。第４コネクタ５ｃは、第５主面５ａと第６主面５ｂとの間を貫通する孔であってもよい。
【００５８】
第２サブ配線基板２５は、コネクタ（第２コネクタ３ｄ、第４コネクタ５ｃ）を用いて、主配線基板３と第２支持板５とに支持されてもよい。第４コネクタ５ｃは、第２サブ配線基板２５を第２支持板５に機械的に接続する。第２サブ配線基板２５は、第２コネクタ３ｄ及び第４コネクタ５ｃに挿入されてもよい。第２サブ配線基板２５の一方の端部が第２コネクタ３ｄに嵌合され、第２サブ配線基板２５の反対側の端部が第４コネクタ５ｃに嵌合されてもよい。第２サブ配線基板２５の第２脚部２６は、第２サブ配線基板２５の一方の端部と反対側の端部との間に位置する。
【００５９】
本実施の形態の電気配線装置１ｄの効果は、実施の形態１の電気配線装置１の効果に加えて、以下の効果を奏する。
【００６０】
本実施の形態の電気配線装置１ｄは、第１支持板４及び第２支持板５の少なくとも１つをさらに備える。第１支持板４は、第１サブ配線基板１５を支持する。第２支持板５は、第２サブ配線基板２５を支持する。本実施の形態の電気配線装置１ｄは、機械的振動に対するさらに向上された耐性を有する。本実施の形態の電気配線装置１ｄによれば、第１のねじ式端子台１０が第１の電気部品がコンタクタのような重い電気部品の一部であっても、主配線基板３と第１支持板４とは、第１のねじ式端子台１０及び第１の電気部品を支持することができる。本実施の形態の電気配線装置１ｄによれば、第２のねじ式端子台２０が第２の電気部品がコンタクタのような重い電気部品の一部であっても、主配線基板３と第２支持板５とは、第２のねじ式端子台２０及び第２の電気部品を支持することができる。
【００６１】
本実施の形態の電気配線装置１ｄは、主配線基板３に加えて、第１支持板４及び第２支持板５の少なくとも１つをさらに備える。主配線基板３と第１支持板４及び第２支持板５の少なくとも１つとは自立して、第１のねじ式端子台１０及び第２のねじ式端子台２０を支持することができる。リード線及び圧着端子を用いて第１のねじ式端子台１０が第２のねじ式端子台２０に電気的に接続される比較例と比べて、本実施の形態の電気配線装置１ｄは、第１のねじ式端子台１０及び第２のねじ式端子台２０を支持する部品の数及びサイズを減らすことができる。
【００６２】
実施の形態６．
図７及び図８を参照して、実施の形態６に係る電気配線装置１ｅを説明する。本実施の形態の電気配線装置１ｅは、実施の形態１の電気配線装置１と同様の構成を備えるが、主に以下の点で異なる。
【００６３】
本実施の形態の電気配線装置１ｅでは、第１のねじ式端子台１０は、第１の電気部品６０に含まれている。第１のねじ式端子台１０は、第１の電気部品６０の一部である。本実施の形態では、第１の電気部品６０は、コンタクタである。第１の電気部品６０は、コンタクタに限られず、例えば、リレーまたはパワーモジュールであってもよい。互いに隣り合う第１ねじ端子１１は、第１の電気部品６０の一つの側面に第１の距離ｐ1で配置されている。互いに隣り合う第１ねじ端子１１の間の第１の距離ｐ1は、互いに隣り合う第１ねじ端子１１に締結される互いに隣り合う第１のねじ１２の中心間の距離として定義される。
【００６４】
本実施の形態の電気配線装置１ｅでは、第１の電気部品６０は、第１のねじ式端子台１０が配置される側面に、第３のねじ式端子台３０を含む。第３のねじ式端子台３０は、第１の電気部品６０の一部である。第１のねじ式端子台１０及び第３のねじ式端子台３０は、主配線基板３の第１主面３ａ側に配置される。第３のねじ式端子台３０は、第１のねじ式端子台１０の下方に配置される。第３のねじ式端子台３０は、第１のねじ式端子台１０よりも、主配線基板３側に突出している。
【００６５】
第３のねじ式端子台３０は、１つ以上の第３ねじ端子３１と１つ以上の第３のねじ３２とを有する。第３ねじ端子３１及び第３のねじ３２は、それぞれ、第１ねじ端子１１及び第１のねじ１２と同様の構造を有してもよい。第１サブ配線基板１５は、第３のねじ３２よりも大きな第１貫通孔５１を有する。第３のねじ３２は、第１貫通孔５１をとおって、第３ねじ端子３１に締結される。第３ねじ端子３１の第３端子面３４は、第１ねじ端子１１の第１端子面１４とは異なる平面上に配置される。具体的には、第３ねじ端子３１の第３端子面３４は、第１ねじ端子１１の第１端子面１４よりも下方（−ｚ方向）に配置される。第３ねじ端子３１の第３端子面３４は、第１ねじ端子１１の第１端子面１４に平行であってもよい。
【００６６】
第１の電気部品６０は、第１の電気部品６０の他の側面に、１つ以上のねじ端子１８と１つ以上のねじ１９とを含む別のねじ式端子台を含んでもよい。ねじ１９は、図示しない配線またはプリント基板を、ねじ端子１８に電気的及び機械的に接続する。
【００６７】
本実施の形態の電気配線装置１ｅは、第３サブ配線基板３５をさらに備える。第３サブ配線基板３５は、第３サブ配線基板３５の表面及び内部の両方またはいずれか一方に、薄膜導体からなる第３サブ配線（図示せず）を含む。第３サブ配線基板３５は、プリント基板であってもよい。第３サブ配線基板３５は、主配線基板３の第１主面３ａ及び第２主面３ｂに交差する方向（ｘ方向）に延在する。特定的には、第３サブ配線基板３５は、主配線基板３の第１主面３ａ及び第２主面３ｂに直交する方向（ｘ方向）に延在してもよい。第３サブ配線基板３５は、複数の第３脚部３６を含んでもよい。複数の第３脚部３６は、互いに、スリットによって分離されてもよい。第３サブ配線基板３５は、第３のねじ３２を用いて、第３ねじ端子３１に電気的及び機械的に接続される。特定的には、第３サブ配線基板３５の第３脚部３６は、第３ねじ端子３１に、第３のねじ３２を用いて固定される。
【００６８】
第３サブ配線基板３５は、主配線基板３に機械的に支持されかつ電気的に接続される。主配線基板３は、第１コネクタ３ｃに加えて、第３コネクタ３ｅをさらに備えてもよい。第３コネクタ３ｅは、第３サブ配線基板３５を主配線基板３に機械的に接続する。第３サブ配線基板３５は、第３コネクタ３ｅに挿入されてもよい。第３コネクタ３ｅは、第１主面３ａと第２主面３ｂとの間を貫通する孔であってもよい。第３サブ配線基板３５は、第３コネクタ３ｅに嵌合されてもよい。特定的には、第３サブ配線基板３５の主配線基板３側の端部が、第３コネクタ３ｅに嵌合されてもよい。第３サブ配線基板３５の主配線基板３側の端部は、第３脚部３６側とは反対側の端部であってもよい。
【００６９】
本実施の形態の電気配線装置１ｅでは、第２のねじ式端子台２０は、第２の電気部品７０に含まれている。第２のねじ式端子台２０は、第２の電気部品７０の一部である。本実施の形態では、第２の電気部品７０は、コンタクタである。第２の電気部品７０は、コンタクタに限られず、例えば、リレーまたはパワーモジュールであってもよい。
【００７０】
第２の電気部品７０は、第１の電気部品６０と異なるサイズを有する。特定的には、第２の電気部品７０は、第１の電気部品６０よりも小さなサイズを有してもよい。第２のねじ式端子台２０は、第１のねじ式端子台１０と異なるサイズを有する。特定的には、第２のねじ式端子台２０は、第１のねじ式端子台１０よりも小さなサイズを有してもよい。互いに隣り合う第２ねじ端子２１は、第２の電気部品７０の一つの側面に第２の距離ｐ2で配置されている。互いに隣り合う第２ねじ端子２１の間の第２の距離ｐ2は、互いに隣り合う第２ねじ端子２１に締結される互いに隣り合う第２のねじ２２の中心間の距離として定義される。互いに隣り合う複数の第１ねじ端子１１の間の第１の距離ｐ1は、互いに隣り合う複数の第２ねじ端子２１の間の第２の距離ｐ2と異なっている。特定的には、互いに隣り合う複数の第２ねじ端子２１の間の第２の距離ｐ2は、互いに隣り合う複数の第１ねじ端子１１の間の第１の距離ｐ1よりも小さくてもよい。
【００７１】
図８に示されるように、第２ねじ端子２１の第２端子面２４は、第１ねじ端子１１の第１端子面１４及び第３ねじ端子３１の第３端子面３４とは異なる平面上に配置される。具体的には、第２ねじ端子２１の第２端子面２４は、第１ねじ端子１１の第１端子面１４及び第３ねじ端子３１の第３端子面３４よりも下方（−ｚ方向）に配置される。
【００７２】
本実施の形態の電気配線装置１ｅでは、第２の電気部品７０は、第２のねじ式端子台２０が配置される側面に、第４のねじ式端子台４０を含む。第４のねじ式端子台４０は、第２の電気部品７０の一部である。第２のねじ式端子台２０及び第４のねじ式端子台４０は、主配線基板３の第１主面３ａ側に配置される。第４のねじ式端子台４０は、第２のねじ式端子台２０の下方に配置される。第４のねじ式端子台４０は、第２のねじ式端子台２０よりも、主配線基板３側に突出している。第４のねじ式端子台４０は、１つ以上の第４ねじ端子４１と１つ以上の第４のねじ４２とを有する。第４ねじ端子４１は、第４サブ配線基板４５に面する第４端子面４４を有する。第４ねじ端子４１及び第４のねじ４２は、それぞれ、第２ねじ端子２１及び第２のねじ２２と同様の構造を有してもよい。第２サブ配線基板２５は、第４のねじ４２よりも大きな第２貫通孔５２を有する。第４のねじ４２は、第２貫通孔５２をとおって、第４ねじ端子４１に締結される。
【００７３】
図８に示されるように、第４ねじ端子４１の第４端子面４４は、第２ねじ端子２１の第２端子面２４とは異なる平面上に配置される。具体的には、第４ねじ端子４１の第４端子面４４は、第２ねじ端子２１の第２端子面２４よりも下方（−ｚ方向）に配置される。第４ねじ端子４１の第４端子面４４は、第２ねじ端子２１の第２端子面２４に平行であってもよい。第４ねじ端子４１の第４端子面４４は、第１ねじ端子１１の第１端子面１４及び第３ねじ端子３１の第３端子面３４とは異なる平面上に配置される。具体的には、第４ねじ端子４１の第４端子面４４は、第１ねじ端子１１の第１端子面１４及び第３ねじ端子３１の第３端子面３４よりも下方（−ｚ方向）に配置される。
【００７４】
第２の電気部品７０は、第２の電気部品７０の他の側面に、１つ以上のねじ端子２８と１つ以上のねじ２９とを含む別のねじ式端子台を含んでもよい。ねじ２９は、図示しない配線またはプリント基板を、ねじ端子２８に電気的及び機械的に接続する。
【００７５】
本実施の形態の電気配線装置１ｅは、第４サブ配線基板４５をさらに備える。第４サブ配線基板４５は、第４サブ配線基板４５の表面及び内部の両方またはいずれか一方に、薄膜導体からなる第４サブ配線（図示せず）を含む。第４サブ配線基板４５は、プリント基板であってもよい。第４サブ配線基板４５は、主配線基板３の第１主面３ａ及び第２主面３ｂに交差する方向（ｘ方向）に延在する。特定的には、第４サブ配線基板４５は、主配線基板３の第１主面３ａ及び第２主面３ｂに直交する方向（ｘ方向）に延在してもよい。第４サブ配線基板４５は、複数の第４脚部４６を含んでもよい。複数の第４脚部４６は、互いに、スリットによって分離されてもよい。第４サブ配線基板４５は、第４のねじ４２を用いて、第４ねじ端子４１に電気的及び機械的に接続される。特定的には、第４サブ配線基板４５の第４脚部４６は、第４のねじ４２を用いて、第４ねじ端子４１に固定される。
【００７６】
第４サブ配線基板４５は、主配線基板３に機械的に支持されかつ電気的に接続される。第１サブ配線基板１５と第２サブ配線基板２５と第３サブ配線基板３５と第４サブ配線基板４５とは、主配線基板３に対して互いに異なる位置で機械的に支持されてもよい。主配線基板３は、第２コネクタ３ｄに加えて、第４コネクタ３ｆをさらに備えてもよい。第４コネクタ３ｆは、第４サブ配線基板４５を主配線基板３に機械的に接続する。第４サブ配線基板４５は、第４コネクタ３ｆに挿入されてもよい。第４コネクタ３ｆは、第１主面３ａと第２主面３ｂとの間を貫通する孔であってもよい。第４サブ配線基板４５は、第４コネクタ３ｆに嵌合されてもよい。特定的には、第４サブ配線基板４５の主配線基板３側の端部が、第４コネクタ３ｆに嵌合されてもよい。第４サブ配線基板４５の主配線基板３側の端部は、第４脚部４６側とは反対側の端部であってもよい。
【００７７】
本実施の形態の電気配線装置１ｅの効果は、実施の形態１の電気配線装置１の効果に加えて、以下の効果を奏する。
【００７８】
本実施の形態の電気配線装置１ｅでは、第１のねじ式端子台１０及び第２のねじ式端子台２０は、第１主面３ａ側に配置される。第１のねじ式端子台１０及び第２のねじ式端子台２０は主配線基板３の第２主面３ｂ側に配置されないため、本実施の形態の電気配線装置１ｅの設置スペースが減少され得る。
【００７９】
本実施の形態の電気配線装置１ｅでは、第２のねじ式端子台２０は、第１のねじ式端子台１０と異なるサイズを有する。本実施の形態の電気配線装置１ｅによれば、第２のねじ式端子台２０が第１のねじ式端子台１０と異なるサイズを有していても、第１のねじ式端子台１０は、第１サブ配線基板１５と、第２サブ配線基板２５と、主配線基板３とを介して、第２のねじ式端子台２０に電気的及び機械的に接続され得る。
【００８０】
本実施の形態の電気配線装置１ｅでは、１つ以上の第１ねじ端子１１は、複数の第１ねじ端子１１である。本実施の形態の電気配線装置１ｅでは、１つ以上の第２ねじ端子２１は、複数の第２ねじ端子２１である。互いに隣り合う複数の第１ねじ端子１１の間の第１の距離ｐ1は、互いに隣り合う複数の第２ねじ端子２１の間の第２の距離ｐ2と異なっている。本実施の形態の電気配線装置１ｅによれば、互いに隣り合う複数の第１ねじ端子１１の間の第１の距離ｐ1が互いに隣り合う複数の第２ねじ端子２１の間の第２の距離ｐ2と異なっていても、第１のねじ式端子台１０は、第１サブ配線基板１５と、第２サブ配線基板２５と、主配線基板３とを介して、第２のねじ式端子台２０に電気的及び機械的に接続され得る。
【００８１】
本実施の形態の電気配線装置１ｅでは、第１のねじ式端子台１０及び第３のねじ式端子台３０は第１の電気部品６０に含まれている。第１の電気部品６０は、第１サブ配線基板１５及び第３サブ配線基板３５を介して、主配線基板３に支持される。本実施の形態の電気配線装置１ｅによれば、第１の電気部品６０がコンタクタのような重い電気部品であっても、第１の電気部品６０は主配線基板３に強固かつ確実に支持され得る。
【００８２】
本実施の形態の電気配線装置１ｅでは、第２のねじ式端子台２０及び第４のねじ式端子台４０は第２の電気部品７０に含まれている。第２の電気部品７０は、第２サブ配線基板２５及び第４サブ配線基板４５を介して、主配線基板３に支持される。本実施の形態の電気配線装置１ｅによれば、第２の電気部品７０がコンタクタのような重い電気部品であっても、第２の電気部品７０は主配線基板３に強固かつ確実に支持され得る。
【００８３】
本実施の形態の電気配線装置１ｅでは、第１のねじ式端子台１０は、第１の電気部品６０に含まれている。第２のねじ式端子台２０は、第２の電気部品７０に含まれている。本実施の形態の電気配線装置１ｅによれば、第１の電気部品６０は、第１サブ配線基板１５と、第２サブ配線基板２５と、主配線基板３とを介して、第２の電気部品７０に電気的及び機械的に接続され得る。
【００８４】
今回開示された実施の形態１から実施の形態６はすべての点で例示であって制限的なものではないと考えられるべきである。矛盾のない限り、今回開示された実施の形態１から実施の形態６の少なくとも２つを組み合わせてもよい。本発明の範囲は、上記した説明ではなく特許請求の範囲によって示され、特許請求の範囲と均等の意味および範囲内でのすべての変更が含まれることを意図される。
【符号の説明】
【００８５】
１，１ａ，１ｂ，１ｃ，１ｄ，１ｅ  電気配線装置、３  主配線基板、３ａ  第１主面、３ｂ  第２主面、３ｃ  第１コネクタ、３ｄ  第２コネクタ、３ｅ，４ｃ  第３コネクタ、３ｆ，５ｃ  第４コネクタ、４  第１支持板、４ａ  第３主面、４ｂ  第４主面、５  第２支持板、５ａ  第５主面、５ｂ  第６主面、８ａ  コンデンサ、８ｂ  トランス、８ｃ  チップ抵抗、８ｄ  集積回路、９ａ  第１補強部材、９ｂ  第２補強部材、１０  第１のねじ式端子台、１１  第１ねじ端子、１２  第１のねじ、１３  第１法線、１４  第１端子面、１５  第１サブ配線基板、１６  第１脚部、１７  第１の孔、１８，２８  ねじ端子、１９，２９，３９  ねじ、２０  第２のねじ式端子台、２１  第２ねじ端子、２２  第２のねじ、２３  第２法線、２４  第２端子面、２５  第２サブ配線基板、２６  第２脚部、２７  第２の孔、３０  第３のねじ式端子台、３１  第３ねじ端子、３２  第３のねじ、３３  第３法線、３４  第３端子面、３５  第３サブ配線基板、３６  第３脚部、４０  第４のねじ式端子台、４１  第４ねじ端子、４２  第４のねじ、４４  第４端子面、４５  第４サブ配線基板、４６  第４脚部、５１  第１貫通孔、５２  第２貫通孔、６０  第１の電気部品、７０  第２の電気部品。
【図１】
0006715693.tif 000002
【図２】
0006715693.tif 000003
【図３】
0006715693.tif 000004
【図４】
0006715693.tif 000005
【図５】
0006715693.tif 000006
【図６】
0006715693.tif 000007
【図７】
0006715693.tif 000008
【図８】
0006715693.tif 000009